(57)【要約】【課題】画像による具体的な情報表示機能を備えた操作ボタン装置を提供すること。【解決手段】座体２、ボタン部、ディスプレイモニタ４及び上蓋６を備え、座体２に収容空間を設けてボタン部を収容し、ボタン部の上部にボタン蓋が設置され、ボタン部が回路板上に結合され、ディスプレイモニタ４がボタン蓋の上方に設置されると共に、ディスプレイモニタ４の下面にディスプレイ回路板が固定され、ディスプレイ回路板は回路板に電気的に接続され、上蓋６は前記ディスプレイモニタ４の上方に設置され、上蓋６とボタン蓋とが相互に結合され、上蓋６に、ディスプレイモニタ４を観るための透光区域６１が設けられる。【選択図】図１
0003148342.tif 000002
【実用新案登録請求の範囲】
【請求項１】
座体と、ボタン部と、ディスプレイモニタと、上蓋とを備え、前記座体に収容空間が設けられ、該収容空間に前記ボタン部が収容され、前記ボタン部の上部にボタン蓋が設置され、前記ボタン部が回路板上に結合され、前記ディスプレイモニタが前記ボタン蓋の上方に設置されると共に、前記ディスプレイモニタの下面にディスプレイ回路板が固定され、前記ディスプレイ回路板は前記回路板に電気的に接続され、前記上蓋は前記ディスプレイモニタの上方に設置され、該上蓋と前記ボタン蓋とが相互に結合され、前記上蓋に、前記ディスプレイモニタを観るための透光区域が設けられたことを特徴とする、操作ボタン装置。
【請求項２】
前記ディスプレイモニタと前記ディスプレイ回路板が固定枠に組み込まれて固定されたことを特徴とする、請求項１に記載の操作ボタン装置。
【請求項３】
前記固定枠の周縁部に１つ以上の係合部が設けられ、該係合部を前記ディスプレイモニタ及びディスプレイ回路板に係合することにより、前記ディスプレイモニタ及びディスプレイ回路板が前記固定枠に固定されていることを特徴とする、請求項２に記載の操作ボタン装置。
【請求項４】
前記ボタン蓋の周縁部に１つ以上の嵌合部が設けられ、且つ、前記上蓋の周辺の前記嵌合部と対応する位置に１つ以上の孔部が設けられ、該孔部と前記嵌合部とを嵌合することにより前記上蓋とボタン蓋とが結合されていることを特徴とする、請求項１に記載の操作ボタン装置。
【請求項５】
前記ディスプレイ回路板に１つ以上のコネクタが設置され、前記回路板の周縁部の前記コネクタと対応する位置に１つ以上のピン組が設置され、前記コネクタとピン組とを接続することにより、前記ディスプレイ回路板が前記回路板に電気的に接続されていることを特徴とする、請求項１に記載の操作ボタン装置。
【請求項６】
前記ピン組が、前記回路板に設けたピン座部に固定されていることを特徴とする、請求項５に記載の操作ボタン装置。
【請求項７】
前記座体に１つ以上の穿通孔が穿設され、該穿通孔に前記ピン組が挿通されたことを特徴とする、請求項５に記載の操作ボタン装置。
【考案の詳細な説明】
【技術分野】
【０００１】
本考案は、画像表示機能を備えた操作ボタン装置に関する。
【背景技術】
【０００２】
各種機構を作動させるため、操作ボタンはすでに非常に普遍的に使用されている装置であって、特に、押しボタンスイッチは構造が簡単で、現在幅広く使用されている。  
例えば、照明設備をオンにするために設置されるライトスイッチ、コンピュータ設備をオンにするために設置される電源スイッチ、さらにはコンピュータへの入力装置であるコンピュータキーボードなどにも、押しボタンスイッチが使用されている。
【０００３】
押しボタンスイッチは、通常、押圧操作するボタン体と、ボタン体を支持するボタン座体とから成る。ボタン体には使用者が押圧するための押圧部が設けられ、ボタン座体に収容されている。  
また、ボタン座体の底部には、常態では開いている金属接点が設置され、使用者が押しボタンスイッチを押圧すると、この金属接点が電気的に接続して、導通が完了する。さらに、ボタン座体とボタン体間には弾性部材（例：バネ）が設置され、使用者がボタン体を解放すると、弾性部材によりボタン体が元の位置に復帰するようになっている。  
しかし、このような押しボタンスイッチは押圧操作により導通する機能しか備えていない。
【０００４】
一方、近年では、発光押しボタンも開発されている。この発光押しボタンは、ボタン体を透光性に設け、ボタン体が押圧されているとき（ＯＮ）、発光押しボタンが点灯し、ボタン体が押圧されていないとき（ＯＦＦ）、発光押しボタンが発光せず、これにより導通状態を表示する機能を有するものである。  
しかしながら、発光押しボタンも発光表示ができるのみであって、それ以上具体的な情報を表示できるものは現在のところ知られていない。
【考案の開示】
【考案が解決しようとする課題】
【０００５】
本考案が解決しようとする課題は、画像による具体的な情報表示機能を備えた操作ボタン装置を提供することにある。
【課題を解決するための手段】
【０００６】
本考案は、座体と、ボタン部と、ディスプレイモニタと、上蓋とを備え、前記座体に収容空間が設けられ、該収容空間に前記ボタン部が収容され、前記ボタン部の上部にボタン蓋が設置され、前記ボタン部が回路板上に結合され、前記ディスプレイモニタが前記ボタン蓋の上方に設置されると共に、前記ディスプレイモニタの下面にディスプレイ回路板が固定され、前記ディスプレイ回路板は前記回路板に電気的に接続され、前記上蓋は前記ディスプレイモニタの上方に設置され、該上蓋と前記ボタン蓋とが相互に結合され、前記上蓋に、前記ディスプレイモニタを観るための透光区域が設けられる。
【０００７】
以下の構成を採用しても良い。  
前記ディスプレイモニタと前記ディスプレイ回路板が固定枠に組み込まれて結合された構成。  
この時、前記固定枠の周縁部に１つ以上の係合部が設けられ、該係合部を前記ディスプレイモニタ及びディスプレイ回路板に係合することにより、前記ディスプレイモニタ及びディスプレイ回路板が前記固定枠に固定された構成。
前記ボタン蓋の周縁部に１つ以上の嵌合部が設けられ、且つ、前記上蓋の周辺の前記嵌合部と対応する位置に１つ以上の孔部が設けられ、該孔部と前記嵌合部とを嵌合することにより前記上蓋とボタン蓋とが結合されている構成。
【０００８】
前記ディスプレイ回路板に１つ以上のコネクタが設置され、前記回路板の周縁部の前記コネクタと対応する位置に１つ以上のピン組が設置され、前記コネクタとピン組とを接続することにより、前記ディスプレイ回路板が前記回路板に電気的に接続されている構成。
この時、前記ピン組が、前記回路板に設けたピン座部に固定されている構成。  
前記座体に１つ以上の穿通孔が穿設され、該穿通孔に前記ピン組が挿通された構成。
【考案の効果】
【０００９】
本考案によれば、使用者が押圧操作する必要があるとき、事前に関連の情報をディスプレイモニタで画像として表示したり、ボタン部を押圧操作すると、操作に対応する映像や画像を表示するなどのきめ細かい情報提供を行うことができる。
【考案を実施するための最良の形態】
【００１０】
以下、本考案の実施例を図面に基づいて詳細に説明する。  
図１及び図２に示すように、本考案の操作ボタン装置１は、座体２と、ボタン部３と、ディスプレイモニタ４と、上蓋６とを備える。  
座体２には、上面が開口した収容空間２１が形成され、ボタン部３がこの収容空間２１に収容される。また、座体２の底部には１つ以上の穿通孔２２が穿設されている。
【００１１】
ボタン部３は回路板３２の上面に結合される。回路板３２の上面周縁部に１つ以上のピン座部３３が設置され、各ピン座部３３にピン組３４が収容される。そして、ボタン部３を座体２の収容空間２１に収容したとき、これらのピン組３４が穿通孔２２に挿通される。  
また、ボタン部３の上方にはボタン蓋３１が設置され、ボタン蓋３１の周縁部の適当な位置に１つまたは１つ以上の嵌合部３１１が設けられる。
【００１２】
ディスプレイモニタ４は、ボタン蓋３１の上に設置され、その下面にはディスプレイ回路板４１が固定される。ディスプレイ回路板４１の適当な位置に１つまたは１つ以上のコネクタ４２が設置され、各コネクタ４２はボタン部３のピン組３４と連結される。  
また、ディスプレイモニタ４とディスプレイ回路板４１は固定枠５の内部に組み込まれて固定される。固定枠５の周縁部の適当な位置に１つまたは１つ以上の係合部５１が形成され、係合部５１をディスプレイモニタ４及びディスプレイ回路板４１に係合することにより、ディスプレイモニタ４及びディスプレイ回路板４１が固定枠５に固定される。
【００１３】
上蓋６はディスプレイモニタ４の上方に被せられ、その適当な位置に透光区域６１が設けられる。従って、この透光区域６１を通して、ディスプレイモニタ４を観ることができる。  
また、上蓋６の側面において、ボタン蓋３１の嵌合部３１１と対応する位置に１つ以上の孔部６２が設けられ、孔部６２と嵌合部３１１とを嵌合することにより上蓋６とボタン蓋３１とが組み立てられる。
【００１４】
操作ボタン装置１のディスプレイモニタ４は、図３及び図４に示すように、各種情報を画像として表示することができる。  
例えば、電話のプッシュボタンとして操作ボタン装置１を使用する場合、ディスプレイモニタ４は電話帳中の連絡先の画像や動画を表示することができ、これにより、１つずつ連絡先の電話を探さなくとも、操作ボタン装置１のディスプレイモニタ４を観察すれば、保存された連絡先の電話番号を知ることができる。  
この時、連絡先の電話番号はあらかじめ回路板３２に保存しておき、画像の編集または交換は、回路板３２のプログラムにより制御または交換を行い、ディスプレイ回路板４１は回路板３２のデータにより画像を描き、表示する。
【００１５】
さらに、使用者が操作ボタン装置１の上蓋６を押すと、上蓋６とボタン蓋３１とは相互に結合されているため、ボタン蓋３１がボタン部３を押して導通操作と同時に画像表示機能を作動させる。この結果、ディスプレイモニタ４に動画や画像を表示して、使用者に現在すでにボタン部３が押されていることを提示する。  
電話のプッシュボタンであれば、図５に示すように、ディスプレイモニタ４がダイヤル中という文字の提示を行うことができ、またダイヤル終了後通話を行うときは、図６に示すように、ディスプレイモニタ４に通話中の文字提示を行わせることもできる。
【図面の簡単な説明】
【００１６】
【図１】本考案の実施例を示す操作ボタン装置の斜視図。
【図２】本考案の実施例を示す操作ボタン装置の分解斜視図。
【図３】操作ボタン装置の画像表示状態における斜視図。
【図４】画像表示中の操作ボタン装置を押圧操作する際の斜視図。
【図５】ダイヤル中における操作ボタン装置の斜視図。
【図６】通話中における操作ボタン装置の斜視図。
【符号の説明】
【００１７】
１  操作ボタン装置
２  座体
２１  収容空間
２２  穿通孔
３  ボタン部
３１  ボタン蓋
３１１  嵌合部
３２  回路板
３３  ピン座部
３４  ピン組
４  ディスプレイモニタ
４１  ディスプレイ回路板
４２  コネクタ
５  固定枠
５１  係合部
６  上蓋
６１  透光区域
６２  孔部
【図１】
0003148342.tif 000003
【図２】
0003148342.tif 000004
【図３】
0003148342.tif 000005
【図４】
0003148342.tif 000006
【図５】
0003148342.tif 000007
【図６】
0003148342.tif 000008